(57)【要約】【課題】キャノピィが開かれているときに、画定されそして使用可能である側壁を有するプラットホーム着座領域を備えるペット用ストローラを提供する。【解決手段】フレーム組立体及びペット着座領域のベース及び側壁を画定するプラットホーム包囲部材に連結された布製プラットホーム包囲体を有するペット用ストローラである。上側及び下側のキャノピィ桟が、 ペット着座領域の上方でキャノピィを延伸又は収縮させるべく旋回可能である後側の旋回用ブロックに旋回可能に連結されている。布キャノピィ組立体が、ハンドルと上側及び下側のキャノピィ桟とに連結され、下側のキャノピィ桟の前側部分を露出させる切欠きを有している。オーバーセンターラッチ組立体が、キャノピィ組立体の切欠きに整列された位置においてプラットホーム包囲部材に連結されている。オーバーセンターラッチは、囲われたペット着座領域を形成するべく、下側のキャノピィ桟をプラットホーム包囲部材にクランプするラッチ止めされた位置に移動可能である。【選択図】図１
2014158466.tif 000002
【特許請求の範囲】
【請求項１】
フレーム組立体であって、ハンドルと、前輪及び後輪の組立体に旋回可能に連結されるプラットホーム部材であって、使用位置においてプラットホームベースを画定するプラットホーム部材と、フレーム組立体に連結されるプラットホーム包囲部材であって、当該使用位置において当該プラットホーム部材に概ね平行なプラットホーム包囲部材と、を含むフレーム組立体、
当該プラットホーム包囲部材及び当該ハンドルに連結され、ペット着座領域のベースと側壁とを画定する布製プラットホーム包囲体、
当該ペット着座領域の上方でキャノピィを延伸又は収縮させるため、当該フレーム組立体に旋回可能に連結された上側及び下側のキャノピィ桟、
当該ハンドルと上側及び下側のキャノピィ桟とに連結され、当該下側のキャノピィ桟の前側部分を露出させる切欠きを有している布キャノピィ組立体、及び
当該キャノピィ組立体の当該切欠きに整列された位置において当該プラットホーム包囲部材に連結されたオーバーセンターラッチ組立体であって、囲われたペット着座領域を形成するため、当該オーバーセンターラッチが当該下側のキャノピィ桟を当該プラットホーム包囲部材にクランプするラッチ止めされた位置にまで移動可能であるオーバーセンターラッチ組立体、
を備えることを特徴とするペット用ストローラ。
【請求項２】
当該布製プラットホーム包囲体の中のベースボード、当該ベースボード上のクリップであって、使用位置において当該プラットホーム部材に係合可能であるクリップをさらに備えることを特徴とする請求項１に記載のペット用ストローラ。
【請求項３】
当該フレーム組立体は、２つの前側車輪ストラット及び２つの後側車輪ストラットをさらに備え、
当該ハンドルはハンドル部分であって、当該ハンドル部分から離れて延在している２つの端部の間に位置されているハンドル部分を有し、
当該ハンドルは当該２つの端部から離間されている後側の旋回用ブロックによって当該２つの後側の車輪ストラットに連結されており、
且つ当該２つの端部は前側の旋回用ブロックによって当該前側の車輪ストラットの頂部に連結されており、
可動ロック組立体が当該ハンドルの端部近傍に配置され、当該可動ロック組立体は、当該ストローラの使用位置において当該ロック組立体が前側の旋回用ブロックのそれぞれに係合した状態で当該ハンドルが前側の車輪ストラットに概ね整列されるように、前側の旋回用ブロックにロック可能であり、
少なくとも１つの前側クロス棒が当該前側のストラットの間に配置されており、
当該車輪組立体は当該ストラットの底端部に配置されており、そして、
当該上側及び下側のキャノピィ桟は、当該ペット着座領域の上方でキャノピィを延伸又は収縮させるべく、後側の旋回用ブロックに旋回可能に連結されていることを特徴とする請求項１に記載のペット用ストローラ。
【請求項４】
当該後側の旋回用ブロックに旋回可能に連結されている上側及び下側のキャノピィ桟は、同じ軸線回りに旋回可能であることを特徴とする請求項３に記載のペット用ストローラ。
【請求項５】
下側の収納バッグが後側のストラット及び少なくとも１つの前側クロス棒に連結されていることを特徴とする請求項３に記載のペット用ストローラ。
【請求項６】
当該オーバーセンターラッチは、当該下側のキャノピィ桟を受け入れる凹部を備えるベースを含んでいることを特徴とする請求項１に記載のペット用ストローラ。
【請求項７】
当該キャノピィ組立体は、当該ハンドル及び下側のキャノピィ桟に連結されていることを特徴とする請求項１に記載のペット用ストローラ。
【請求項８】
当該キャノピィ組立体の背部は、布製プラットホーム包囲体の頂部に連結されていることを特徴とする請求項１に記載のペット用ストローラ。
【請求項９】
当該ベースボードは２部品であることを特徴とする請求項２に記載のペット用ストローラ。
【請求項１０】
当該ペット用ストローラは、当該ハンドルの端部における当該可動ロック組立体を解除し、当該オーバーセンターラッチを解放し、そして、当該ベースボードのクリップをプラットホーム部材から係合解除することによって、コンパクトな位置に折り畳み可能であることを特徴とする請求項３に記載のペット用ストローラ。
【請求項１１】
当該オーバーセンターラッチは、当該ストローラの使用位置において係合解除可能であり、そして当該プラットホーム部材、当該プラットホーム包囲部材及び当該布製プラットホーム包囲体がペット着座領域の全周囲周りに延在する側壁と共に部分的な包囲をもたらす当該使用位置に残る状態で、当該キャノピィ組立体は開き位置に移動可能であることを特徴とする請求項１に記載のペット用ストローラ。
【請求項１２】
当該布製プラットホーム包囲体は、織物又は不織布、メッシュ又は高分子材料の少なくとも１つから作られていることを特徴とする請求項１に記載のペット用ストローラ。
【請求項１３】
当該布キャノピィ組立体は、織物又は不織布、メッシュ又は高分子材料の少なくとも１つから作られていることを特徴とする請求項１に記載のペット用ストローラ。
【発明の詳細な説明】
【技術分野】
【０００１】
本発明は、ペット用ストローラ、より詳しくは、使用位置に展開可能であり、そして使用されていないときはコンパクトな収納位置に折り畳み可能である、折り畳み可能なペット用ストローラに関する。
【背景技術】
【０００２】
上述の形式の折り畳み可能なペット用ストローラは知られており、幼児用ストローラと同様の方法で、犬や猫のような小型又は中型のペットを散歩させるのに用いられ得る。これらのストローラは、典型的には、金属フレームに取り付けられ、着座領域のみならず布及びメッシュ製のキャノピィを画定する布及びメッシュ製の保持用組立体を有する金属フレームでもって形成されている。典型的には、当該金属フレームは、ハンドル及び着座領域プラットホームに旋回可能に連結されている前輪及び後輪用のストラット（支柱）のみならず、付加的な支持構造体を含んでいる。これらのフレーム部材は、当該フレームをコンパクトな収納位置からハンドル及びストラットがロック組立体を用いている位置でロックされ、そしてその後、当該ロックを解除したときにコンパクトな収納位置に再度折り畳み戻され得る使用位置に延在させるために、ハンドル、前側ストラット及び後側ストラットの間での旋回運動を許容するように、特定の旋回領域で旋回可能に連結されている。コンパクトな収納位置においては、当該ハンドル及びストラットは、互いに隣接する位置に概ね折り重なり、そして布及びメッシュ製の着座領域及びキャノピィは、概ね共につぶれている。
【０００３】
典型的には、ペット用ストローラは、ペットが当該ストローラに連結されたリードによって留められる、すなわち、繋がれる必要なしに、当該着座領域に閉じ込められ得るように、メッシュ領域を有しているキャノピィを含んでいる。既知のペット用ストローラにおいて、このメッシュは、ペット用ストローラの着座領域プラットホームの一部へのジッパー操作可能であり、そして開かれ及び閉じられた位置の間で移動され得る。キャノピィがジッパー操作されていない位置においては、このことは、弛んだメッシュを、使用中に支持されずにだらりと垂れて残るプラットホーム着座領域側壁の部分としてそのままにしている。当該ペット着座領域を取り囲む保持用側壁領域がないと、たとえ当該ペットがリードに連結されていたとしても、それは、ストローラの外へ途中まで飛び出し又は滑ることができるであろうし、当然に、実用的には使用中に当該メッシュのジッパーを閉じさせることが必要である。
【発明の概要】
【発明が解決しようとする課題】
【０００４】
キャノピィが開かれているときに、画定され、そして、使用可能である側壁を有するプラットホーム着座領域を備えるペット用ストローラを提供することが望まれるであろう。さらに、当該ストローラの開かれた使用位置において、当該フレームに対するプラットホームのより堅牢な組立体を提供することが望まれるであろう。
【課題を解決するための手段】
【０００５】
簡単に述べると、ハンドルと、前輪及び後輪の組立体に旋回可能に連結されるプラットホーム部材であって、使用位置においてプラットホームベースを画定するプラットホーム部材と、フレーム組立体に連結されるプラットホーム包囲部材であって、当該使用位置において当該プラットホーム部材に概ね平行なプラットホーム包囲部材と、を含むフレーム組立体を有するペット用ストローラが提供される。布製のプラットホーム包囲体は、プラットホーム包囲部材及びハンドルに連結され、ペット着座領域のベースと側壁とを画定しており、そして、上側及び下側のキャノピィ桟は、ペット着座領域の上方でキャノピィを延伸又は収縮させるために、当該フレーム組立体に旋回可能に連結されている。布及びメッシュのキャノピィ組立体は、ハンドルと上側及び下側のキャノピィ桟とに連結され、当該下側のキャノピィ桟の前側部分を露出させる切欠きを有している。オーバーセンターラッチ組立体が、囲われたペット着座領域を形成するため、当該オーバーセンターラッチが当該下側のキャノピィ桟を当該プラットホーム包囲部材にクランプするラッチ止めされた位置にまで移動可能である状態で、当該キャノピィ組立体の当該切欠きに整列された位置において、当該プラットホーム包囲部材に連結されている。
【０００６】
当該ペット用ストローラのもう１つの態様において、当該フレーム組立体は、前側車輪ストラット及び後側車輪ストラットを含んでいる。ハンドルは、ハンドル部分であって、当該ハンドル部分から離れて延在している２つの端部の間に位置されているハンドル部分を有している。当該ハンドルは、当該２つの端部から離間されている位置において、後側の車輪ストラットの頂部に配置された後側の旋回用ブロックによって後側の車輪ストラットに連結されている。当該ハンドルの２つの端部は、前側の旋回用ブロックによって当該前側の車輪ストラットの頂部に連結されている。可動ロック組立体が当該ハンドルの端部近傍に配置され、当該可動ロック組立体は、当該ストローラの使用位置において、当該ロック組立体が前側の旋回用ブロックの対応する１つに係合した状態で当該ハンドルが前側の車輪ストラットに概ね整列されるように、前側の旋回用ブロックにロック可能である。当該プラットホーム部材は、前側及び後側の車輪ストラットに旋回可能に連結され、そして使用位置においてプラットホームベースを支持している。少なくとも１つの前側クロス棒が当該前側のストラットの間に配置されている。当該車輪組立体は、当該ストラットの底端部に配置されている。当該プラットホーム包囲部材は、当該ロック組立体の上方のハンドルに配置されている後側旋回用ブロックに 旋回可能に連結され、プラットホーム部材に概ね平行な使用位置に旋回可能である。当該上側及び下側のキャノピィ桟は、当該ペット着座領域の上方でキャノピィを延伸又は収縮させるべく、後側の旋回用ブロックに旋回可能に連結されている。
【０００７】
当該フレーム組立体は、３輪ストローラ用であってもよく、前側又は後側の車輪ストラットの特定の数には限定されず、そして当該フレーム部材及びプラットホーム部材の特定の配列は変えられ得る。この３輪の実施形態において、当該プラットホーム包囲部材はプラットホーム部材に概ね平行な使用位置において提供され、布製プラットホーム包囲体が当該プラットホーム包囲部材及び当該ハンドルに連結され、そして、当該ペット着座領域のベース及び側壁を画定している。上側及び下側のキャノピィ桟もまた設けられ、ペット着座領域の上方でキャノピィを延伸又は収縮させるために旋回可能である。当該布及びメッシュのキャノピィ組立体は、当該ハンドル及び上側及び下側のキャノピィ桟に連結され、下側のキャノピィ桟の前側部分を露出させる切欠きを有している。当該オーバーセンターラッチ組立体は、当該キャノピィ組立体の切欠きに整列された位置においてプラットホーム包囲部材に連結されている。  もう１つの態様において、本発明は、布製プラットホーム包囲体の中にベースボードを提供し、当該ベースボード上にクリップを備えている。当該クリップは、使用位置においてプラットホーム部材に係合可能である。
【０００８】
もう１つの態様において、当該後側の旋回用ブロックに旋回可能に連結されている上側及び下側のキャノピィ桟は、同じ軸線回りに旋回可能であり、より単純な組立体を提供している。
【０００９】
もう１つの態様において、下側の収納バッグが後側のストラット及び少なくとも１つの前側クロス棒に連結されている。
【００１０】
もう１つの態様において、当該オーバーセンターラッチは、当該下側のキャノピィ桟を受け入れる凹部を備えるベースを含んでいる。
【００１１】
好ましくは、当該キャノピィ組立体は、当該ハンドル及び下側のキャノピィ桟に連結されている。
【００１２】
よりコンパクトな折畳みを許容するために、当該ベースボードは折畳みのためにお互いに対して可動な２部品で提供されるのが好ましい。
【００１３】
好ましくは、当該ペット用ストローラは、当該ハンドルの端部における当該可動ロック組立体を解除し、当該オーバーセンターラッチを解放し、そして、当該ベースボードのクリップをプラットホーム部材から係合解除することによって、コンパクトな位置に折り畳み可能である。
【００１４】
もう１つの態様において、当該オーバーセンターラッチは、当該ストローラの使用位置において係合解除可能であり、そして当該プラットホーム部材、当該プラットホーム包囲部材及び当該布製プラットホーム包囲体がペット着座領域の全周囲周りに延在する側壁と共に部分的な包囲をもたらす当該使用位置に残る状態で、当該キャノピィ組立体は開き位置に移動可能である。
【図面の簡単な説明】
【００１５】
以下の本発明の好ましい実施形態の詳細な説明は、添付の図面を参照して読むと、より良く理解されよう。本発明を説明する目的のために、図面には現在好ましい実施形態が示されている。しかしながら、本発明は図面に示された正確な配列及び手段に限定されないことが理解されよう。
【図１】本発明によるペット用ストローラの頂側、前側、右側の斜視図である。
【図２】キャノピィ及びオーバーセンターラッチ組立体を示している、図１に示されたペット用ストローラの前側部分の拡大図である。
【図３】開き位置にあるオーバーセンターラッチ組立体を示す、図２に類似の図である。
【図４】下側のキャノピィ桟を正しくクランプする前の位置にあるオーバーセンターラッチを示す、当該ストローラの前側を通る断面図である。
【図５】オーバーセンターラッチ組立体も開いた状態で開いた位置にあるキャノピィを示す、図１と類似の図である。
【図６】後側旋回用ブロックへの上側及び下側のキャノピィ桟の旋回用取付点を示す、拡大詳細図である。
【図７】同じ軸線の回りを旋回すべく旋回用ブロックに対する上側及び下側のキャノピィ桟の組立体を示す詳細図である。
【図８】未だ使用位置にないベースボードを備える当該フレームのプラットホーム部材を見下ろす図であり，取付用のクリップを図解している。
【図９】プラットホーム部材への取り付け前にベースボードの取付用のクリップを示す詳細図である。
【図１０】プラットホームカバーに沿ってプラットホーム部材を見下ろした図である。
【図１１】コンパクトな折畳み位置にあるペット用ストローラを示す側面図である。
【発明を実施するための形態】
【００１６】
以下の説明において、ある用語が限定するのではなく便宜上のためのみに用いられている。語句「右」、「左」、「頂部」、「底部」、「前」及び「後」は、図面において参照されている方向を指示している。語句「内方」及び「外方」は、当該ペット用ストローラの幾何学的中心に対し、それぞれ、向かう及びそれから離れる方向を意味する。この用語は、上に特に記した語句、それらの派生語及び類似の意味の語句を含む。特許請求の範囲及び明細書の対応する部分に用いられるとき、語句「１つ」は、他に特に言及されない限り、言及されたものの１つ以上を含むように定義されている。Ａ，Ｂ又はＣの少なくとも１つ（ここで、Ａ，Ｂ及びＣは本発明の種々の要素を表している）の形態のものの列挙は、Ａ，Ｂ又はＣのいずれか１つ又はそれらの種々の組合せを意味している。
【００１７】
さて、図１、５及び１１を参照するに、本発明によるペット用ストローラ１０が、キャノピィが閉じられた(図１)使用位置、キャノピィが開かれた(図５)使用位置、及び折畳まれた収納位置(図１１)において示されている。図１に示されるように、ペット用ストローラ１０は、２つの後側の車輪ストラット（支柱）１６、１７及び２つの前側の車輪ストラット１８、１９を有するフレーム組立体１２を含んでいる。好ましくは、曲管として形成されているハンドル１４は、ハンドル部分１５と当該ハンドル部分から離れて延在している２つの端部を有しており、当該２つの端部が、ハンドル１４の２つの端部から離間されている後側の旋回用ブロック４０、４１(図１１に最も明瞭に示されている)によって、２つの後側車輪ストラット１６、１７においてフレーム１２に連結されている。ハンドル１４のこれらの２つの端部は、前側の旋回用ブロック２０、２１によって前側の車輪ストラット１８、１９の頂部に連結されている。可動のロック組立体２２、２３は、図１及び図５に示されるような当該ストローラ１０の使用位置において、当該ロック組立体２２、２３が前側の旋回用ブロック２０、２１のそれぞれの一方に係合した状態で当該ハンドル１４が前側車輪ストラット１８、１９に概ね整列されるように、当該端部に近接して当該ハンドル１４に配置され、前側の旋回用ブロック２０、２１に対してロック可能である。図１１には、当該ロック組立体２３が前側の旋回用ブロック２１から係合解除された位置に示されている。これらの前側旋回用ブロック２０、２１及び当該ロック組立体２２、２３は、Pet Gear Happy Trails（登録商標）ペット用ストローラ(バーモント州West RutlandのPet Gear社の商品番号PG８１００)におけるような、先行技術において既知の形式のものである。
【００１８】
プラットホーム部材２４は、図８に最も明瞭に示されるように、前側車輪ストラット１８、１９及び後側車輪ストラット１６、１７に旋回可能に連結されている。これは、使用位置においてプラットホームベースを画定している。少なくとも１つの前側クロス棒(２６、２８)が前側車輪ストラット１８、１９の間に延在し、好ましくは、２つの前側クロス棒(２６、２８)が設けられている。使用位置において、当該ストローラ１０が転がされるのを許容する車輪組立体３０、３２は、好ましくは、前後輪のストラット１８、１９;１６、１７の底部に連結されている。好ましくは、当該前側車輪組立体３０は二重車輪で、後側車輪組立体３２は単車輪である。これらの形式の車輪組立体３０、３２はまた、上述のPet Gear社からの先行技術であるペット用ストローラにより既知である。
【００１９】
プラットホーム包囲部材３４は、図５及び６に最も明瞭に示されるように、ロック組立体２２、２３の上方のハンドル１４上に配置された位置において、後側旋回用ブロックに旋回可能に連結されている。当該プラットホーム包囲部材３４は、プラットホーム部材２４に概ね平行な使用位置にまで旋回する。
【００２０】
布製のプラットホーム包囲体５２がプラットホーム包囲部材３４及びハンドル１４に連結され、そしてペット着座領域のベース及び側壁を画定している。この布製プラットホーム包囲体５２は、織布、不織布又はプラスチック膜であってもよく、好ましくは、共に縫合されて、べた領域に加えて少なくともいくらかのメッシュ領域を含んでいる。しかしながら、全体がべた及び／又は側壁部分が全部メッシュであってもよい。ここで用いられるとき、「布」とは、当該プラットホーム包囲体５２に関して上述したもののいくつか又は全てを一般的に意味することが意図されている。布製プラットホーム包囲体５２は、フレーム組立体１２への連結のために織物ファスナー及び／又は留め金をさらに含むことができる。好ましくは、図９に示されるベースボード５４が、ベースに対してのいくらかの剛性をもたらすために、布製プラットホーム包囲体５２の中又は下に配置される。これは、当該ストローラ１０の使用位置においてプラットホーム部材棒２４の上に静止し、そして当該ストローラ１０を折り畳むときは、図８及び９に示されるように、プラットホーム部材２４から連結が解除される。
【００２１】
当該ベースボード５４及び布製プラットホーム組立体５２は、好ましくは、図８及び９に示されるように、当該ベースボード５４に底部５８を介して連結された保持用クリップ５６によってプラットホーム部材２４に保持される。当該クリップ５６は、好ましくは、スナップ作用でもってプラットホーム部材２４に係合または係合解除される可撓壁６０を備える係合用部分を有している。加えて、プラットホームカバー６４がプラットホーム部材２４上に設けられてもよく、そしてフック‐ループ式織物ファスナー（面ファスナー）６６が、当該プラットホームカバー６４及び当該ベースボード５４の底部のクリップ５６に接近した対応する位置に用いられてもよい。これは、当該フレーム組立体１２に布製プラットホーム包囲体によって形成されるペット着座領域の安定的な位置決め作用をもたらす。
【００２２】
再度、図1及び５を参照するに、上側キャノピィ桟３８及び下側のキャノピィ桟３６が後側旋回用ブロック４０、４１に旋回可能に連結されている。当該上側及び下側のキャノピィ桟３８、３６は、ペット着座領域の上方でキャノピィを延伸又は収縮すべく旋回可能である。布のキャノピィ組立体７０が、ハンドル１４と上側及び下側のキャノピィ桟３８、３６とに連結されている。当該キャノピィ組立体７０は、好ましくは、布７２から作られ、そしてメッシュ部分７４を含んでいる。当該布は、織布又は不織布又は高分子膜であってもよい。当該キャノピィは、望むなら、全体が布又は全体がメッシュ、又は図示のように両者の組合せであってもよい。代わりに、キャノピィのいくらか又は全体が透明で柔軟な高分子材料から形成されてもよい。ここで用いられるとき、「布」とは、当該キャノピィ組立体７０に関して上述したもののいくつか又は全てを一般的に意味することが意図されている。図３及び５に最も明瞭に示されるように、切欠き７６が、下側のキャノピィ桟３６の前側部分を露出させるために、布及びメッシュ製キャノピィ組立体７０に設けられている。
【００２３】
オーバーセンターラッチ組立体８０が、当該キャノピィ組立体７０の切欠き７６に整列された位置において、当該プラットホーム包囲部材３４に連結されている。当該オーバーセンターラッチ組立体８０は、囲われたペット着座領域を形成すべく、それが下側のキャノピィ桟３６を当該プラットホーム包囲部材３４にクランプするラッチ止めされた位置に移動可能である。
【００２４】
図３及び４を参照するに、当該オーバーセンターラッチ組立体８０が詳細に示され、当該プラットホーム包囲部材３４の形状に適合されたベース８２を含み、そして、その頂部分に配置され、当該ラッチ止めされた位置において当該下側のキャノピィ桟３６の一部分を受け入れるべく適合されている凹部８３を有している。旋回アーム８４が当該ベース８２から延び、そしてラッチ用クリップ８６に連結されている。当該ラッチ用クリップ８６は、その上端部が上側キャノピィ組立体７０の切欠き７６を通って下側キャノピィ桟３６の上方に掛かる位置にまで旋回され得、そしてその後、当該ラッチ用クリップ８６の下側部分が当該ベース８２において同じく旋回する旋回アーム８４と共に連結部回りに旋回して下方に移動されて、係合されるときにオーバーセンターラッチ作用を提供する。好ましくは、当該オーバーセンターラッチ組立体８０をプラットホーム包囲部材３４に連結するために、１つ以上のファスナー８８が設けられている。
【００２５】
図５ないし７を参照するに、ペット用ストローラ１０はキャノピィが開かれた使用位置において示されている。ここでは、上側及び下側のキャノピィ桟３８、３６が両者共、旋回ピンによって後側の旋回用ブロック４０、４１に連結されているのが分かる。右側の後側旋回用ブロック４１の詳細図である図７に示されるように、上側及び下側のキャノピィ桟３８、３６の両者は、同一の軸線４２の回りに旋回可能であるように、単一のファスナーによって後側旋回用ブロック４１に連結されている。右側のみが示されているが、旋回用ブロック４０を備える左側も当該上側及び下側のキャノピィ桟３８、３６の反対側の端部と同じような方法で組立てられている。
【００２６】
図１を参照するに、下側の収納バッグ５０が、好ましくは、プラットホーム部材２４の下方で当該フレーム組立体１２に連結されている。これはまた、好ましくは、布とメッシュの組立体である。当該布は、織布又は不織布又は高分子膜である。好ましくは、当該下側の収納バッグ５０は、後側車輪ストラット１６、１７及び少なくとも１つの前側クロス棒２８に連結されている。
【００２７】
図１及び５に示されるように、キャノピィ組立体７０は、好ましくは、ハンドル１４のみならず、上側及び下側のキャノピィ桟３８、３６にも連結されている。これは、スナップ又は織物ファスナーでもって、又はキャノピィ組立体の布材料及びフレーム部材の部分に、ねじ、リベットのような締結具又は他の適切な接続具を用いて取付られた保持ブロックのような他の手段によってなされ得る。好ましい実施形態においては、当該キャノピィ組立体７０は、布製プラットホーム包囲体５２及びキャノピィ組立体７０が単一の織物組立体として形成されるように、布製プラットホーム包囲体５２の頂部に連結されている。
【００２８】
ペット用ストローラ１０の図１１に示されるようなコンパクトな収納位置を許容するために、好ましくは、ベースボード５４は、折り畳みを許容すべく２部品で形成されている。当該ペット用ストローラ１０を図１１に示されるコンパクト位置に折り畳むためには、可動ロック組立体２２、２３が前側の旋回用ブロック２０、２１から係合解除するべくハンドル１４上で上方に滑らされ、そして当該ハンドルが下方に折り畳まれる。加えて、オーバーセンターラッチ組立体８０が解放され、クリップ８６が当該プラットホーム包囲部材３４から係合解除される。ベースボード５４及び布製のプラットホーム組立体５２はまた、図8及び９に示されるように、当該ベースボード５４の保持用クリップ５６をプラットホーム部材２４から解放することにより、当該プラットホーム部材２４から係合解除される。当該プラットホーム部材２４への付加的な取付物である布カバー６４もまた、織物面ファスナー６６を介して分離され得る。
【００２９】
図１に示された使用位置において、上側のキャノピィ組立体７０は、布製プラットホーム包囲体５２によって画定されたペット着座領域内に置かれる、又はそれから取除かれるべきペットに対するアクセスを提供するために、開かれ又は閉じられることができる。プラットホーム包囲部材３４は、キャノピィ組立体７０が図1に示される閉鎖位置又は図５に示される開放位置にあるか否かにかかわらず、完全な周囲側壁がペット着座領域の全体の周りに画定されるように、剛性のフレーム部材を提供している。この配列は、当該キャノピィの位置にかかわらず、ペットが快適に着座されて包含されるのを許容している。当該キャノピィ組立体７０の閉鎖位置において、ペットは安全に包含される。当該キャノピィ組立体７０が開放された位置状態で当該ペット用ストローラ１０を使用するために、つなぎ綱ないしは引き綱が設けられ、それはフレーム又はペット着座領域内のベースボードに固定され、そしてペットの首輪ないしはハーネスにクリップ止めされてもよい。この配列は、既知のペット用ストローラに比べて、改良されたペット用ストローラ１０を提供する。当該ペット用ストローラ１０は、当該キャノピィ組立体７０が開放又は閉鎖位置にあったか否かにかかわりなく、フレーム組立体の部分として画定されたプラットホーム包囲部材を備えるペット着座領域のみならず、完全な連続する側壁を備える布製プラットホーム包囲体５２を提供しており、より安全でペットにより優しい配列としている。
【００３０】
当該フレーム組立体はまた、３輪ストローラ用のものであってもよく、前側または後側の車輪ストラットの特定の数に限定されない。フレーム部材及びプラットホーム部材の特定の構成及び配列は変わり得る。しかしながら、プラットホーム包囲部材は、使用位置においてプラットホーム部材に概ね平行に設けられ、そして布製プラットホーム包囲体は、当該プラットホーム包囲部材及びハンドル又は他のフレーム部分に連結され、且つペット着座領域のベース及び側壁を画定することが要求されている。上側及び下側のキャノピィ桟もまた設けられ、ペット着座領域の上方でキャノピィを延伸又は収縮させるべく、フレーム組立体に旋回可能に取付られている。布及びメッシュのキャノピィ組立体がハンドルと上側及び下側のキャノピィ桟とに連結され、下側のキャノピィ桟の前側部分を露出させる切欠きを有している。オーバーセンターラッチ組立体が、当該キャノピィ組立体の切欠きに整列された位置において、プラットホーム包囲部材に連結されている。本発明の他の特徴はまた、３輪ストローラ配列と共に用いられ得る。
【００３１】
本発明の好ましい実施形態が詳細に説明されたが、本説明から本発明の上述の実施形態にその広い発明概念から逸脱することなく変形がなされ得ることは当業者によって認識されるであろう。それ故に、本発明は、添付の請求の範囲に確定され及び／又は添付の図面に示された本発明の範囲及び趣旨内の全ての変更を含むということが理解されよう。
【図１】
2014158466.tif 000003
【図２】
2014158466.tif 000004
【図３】
2014158466.tif 000005
【図４】
2014158466.tif 000006
【図５】
2014158466.tif 000007
【図６】
2014158466.tif 000008
【図７】
2014158466.tif 000009
【図８】
2014158466.tif 000010
【図９】
2014158466.tif 000011
【図１０】
2014158466.tif 000012
【図１１】
2014158466.tif 000013